(57)【要約】【課題】  より容易にかつ安価に識別可能なインクを提供する方法を提案すること。【解決手段】  インク中の特定成分の量を調整することにより特定の個人ユーザーに固有の情報を持たせたことを特徴とするインクジェット用インク。【選択図】        図１
2007070525.tif 000002
【特許請求の範囲】
【請求項１】
インク中の特定成分の量を調整することにより特定の個人ユーザーに固有の情報を持たせたことを特徴とするインクジェット用インク。
【請求項２】
画像あるいはインク自体を分析することにより特定の個人ユーザーに固有のインクを使用したか否かが判定可能な請求項１に記載のインク。
【請求項３】
インク中の１個〜複数個の特定の物質の成分比から特定の情報を割り出せるようにしたことを特徴とする請求項１または２に記載のインク。
【請求項４】
ユーザーが暗証番号を指定し、それに対応した特定成分の量および量比としたことを特徴とするユーザーからのオーダーメードで作成した請求項１乃至３のいずれかに記載のインク。
【請求項５】
インク中の固有の情報を担わした成分が着色剤であることを特徴とする請求項１乃至４のいずれかに記載のインク。
【請求項６】
インク中の固有の情報を担わした成分が非着色剤であることを特徴とする請求項１乃至４のいずれかに記載のインク。
【請求項７】
固有の情報を付与するためのそれぞれ種類の異なる特定成分を含有したそれぞれのインクを製造・貯蔵してあるそれぞれの容器から、ユーザーからのオーダーがあった場合に、ユーザーからの暗証番号に対応した量比でカートリッジに小分けして充填することを特徴とするインク中の特定成分の量を調整することにより特定の個人ユーザーに固有の情報を持たせたインクジェット用インクの製造方法。
【請求項８】
請求項１乃至６のいずれかに記載のインクジェット用インクを充填したカートリッジ。
【請求項９】
請求項１乃至６の何れかに記載のインクジェット用インクを個人ユーザーに固有の情報を有したものとして製造する段階、該インクの固有の情報を保管する段階、ある印刷物が該インクにより印刷されたものか、あるいはあるインクが該インクに相当するか否かを、印刷物あるいはインクを分析して、保管された情報と照らし合わせることにより、画像あるいはインク自身の属する個人ユーザーを割り出す段階を含む判別方法。
【発明の詳細な説明】
【技術分野】
【０００１】
本発明は、指紋、声紋と同様にインク自体に個人固有の情報を付与し、そのインクを使用した文書かどうかの判定を可能とするインクジェット用インクに関するものである。すなわち特定個人と特定文書との関係、或いは特定個人と特定インキの関係が、予定された本来のものであるか否かを判別でき、また、偽造文書、偽似インクの判定に利用できる技術に関する。
また、純正のインク以外のインクが使用されたか否かの簡易な判定にも使用可能であり、純正インク以外使用された場合の機械トラブルの迅速な原因追求が可能となる技術に関する。
【背景技術】
【０００２】
インクジェット関係で、予定された固有のインクであるか否かの識別情報を持たせる方法としては、特許文献１，２に記載されているように、ヘッドやインクカートリッジ自体に固有の情報を持たせる方法がある。これは画像そのものに固有の情報を持たせるための特定の方法ではない。
【０００３】
また、特許文献３では蛍光染料を含有するインクを用いてインクジェット記録装置により紙に画像を印刷し、その表面に紫外線を照射して蛍光による画像を発生させる方法が開示されている。これはインクに特殊な材料を添加し、偽造を防止するものであるが、そのインク自体は大量に製造されたものであり、それを印刷した個人を特定できるトレーサビリティーを有しない。
【０００４】
また、特許文献４は、可視領域外に固有の吸光度ピークを有する可視光外組成物を含むインクを用いて記録するインクジェット式記録方法を開示するが、これも同様である。
【０００５】
また、目視にて識別し難い色材を用いて、画像中に入れこむ方法が提案（特許文献５）されている。これも目的は個別のマシンの情報を他人にわからないように印写しマシンを特定するためのものである。インク自体は大量作成を前提としている。
【０００６】
また、装置固有の識別情報を表す特定パターンを、蛍光インクにてマーキングする方法（特許文献６に開示された技術）もあり、これも同様である。
【０００７】
また、特許文献７記載のように紫外線照射で識別可能なインクもある。これもユーザー固有のものではない。
【０００８】
特許文献８にはインクジェット方式により記録媒体に画像を形成するときに、画像形成領域以外の位置に、外部手段にて認識可能な透明な検出液にて、記録装置の固有情報を透明な特定パターンにて形成することを特徴インクジェット記録が開示されている。これもインクに固有の情報を持たせたものではない。
これらは、印刷した装置をトレーサビィティーするものであるが画像に書き込まれた情報を読み取られ、それを避ける手段を講じられる可能性があるという欠点がある。また、インクそのものにトレーサビリティーを持たせたものではない。
【０００９】
特許文献９の特開２００４−１９６８３３号公報、特許文献１０の特開平８−１９９１０１号公報には、紫外線照射により判別可能なインキが記載され、特許文献１１の特開２００３−２５１９０７号公報には、視認以外の手法で検知可能な検出体内在インクを用いてバーコードを印刷することが記載され、特許文献１２の特開２００４−２１３２５９号公報には、ＩＣカード表面からの反射では視認できない隠し固有情報を保有するＩＣカードが記載され、特許文献１３の特許第３３６３８９６号公報には、インクジェット記録用インクのカートリッジに、内容物インクの色情報と当該色情報以外のカートリッジ情報を設けることが開示され、特許文献１４の特開２００１−９６７６０号公報には、インクカートリッジに、当該インクカートリッジのためのインクの固有情報を設けることが記載され、特許文献１５の特開平１１−３５８６３号公報には、着色料及び該着色料の濃度を識別するための標識物質を含有するインクジェット印字用インクが開示され、特許文献１６の特開２０００−２９３８７号公報には、光デイスクのラベル貼着部に、金属粉含有の浸透性無着色インクで該光デイスクの固有情報を印刷することが開示され、特許文献１７の特表２０００−５１５９２０号公報には、肉眼で不可視で励起放射線照射時のみ可視化されるマークをインクジェット記録するのに用いられるインクジェット記録用インクが開示されているが、これらも、これらもユーザー固有のものではない。
更に、特許文献１８、１９にはＤＮＡインクを識別物質とすることが開示されている。
これは特定のユーザーの識別は原理的に可能だが、ＤＮＡの作成、分析は容易ではない。また、印字物に他人のＤＮＡが混入する恐れもある。製造時に特定のＤＮＡをインクに入れるという操作が必要とされ製造は容易ではない。
【００１０】
昔のように手書きの場合、その筆跡は個人個人で異なるため文書・サインから特定個人が作成したことを証明可能であった。
しかし、インクジェットプリンタ等の印刷物の場合、そのインクは大量生産で製造されるためその印刷物からそれを印刷した特定個人を割り出すことは不可能である。  そこで本発明ではインク自体に指紋、声紋と同様に固有の情報を持たせ文書の真偽の判定、およびトレーサビリティーを容易にすることを創案した。この場合、ユーザ-毎に特別なトレース材料を使用していたのではとても多くのユーザーの要求を満たすことはできない。
我々は、鋭意検討の結果、インク中の成分量の違いでインクに固有の情報を持たせることが有効であるという考えに至った。
【００１１】
【特許文献１】特開２００３−２４６０８０号公報
【特許文献２】特開２００４−２３０７８７号公報
【特許文献３】特開平９−２２７８１７号公報
【特許文献４】特開２０００−２４７０２４
【特許文献５】特許第２６１４３６９号公報
【特許文献６】特開平９−２２７８１７号公報
【特許文献７】特開２００４−２１７８４１号公報
【特許文献８】特開２０００−２５５０４９号公報
【特許文献９】特開２００４−１９６８３３号公報
【特許文献１０】特開平８−１９９１０１号公報
【特許文献１１】特開２００３−２５１９０７号公報
【特許文献１２】特開２００４−２１３２５９号公報
【特許文献１３】特許第３３６３８９６号公報
【特許文献１４】特開２００１−９６７６０号公報
【特許文献１５】特開平１１−３５８６３号公報
【特許文献１６】特開２０００−２９３８７号公報
【特許文献１７】特表２０００−５１５９２０号公報
【特許文献１８】特開２００５−２８８２０号公報
【特許文献１９】特開２００４−３３１８３２号公報
【発明の開示】
【発明が解決しようとする課題】
【００１２】
従って、本発明の目的は、より容易にかつ安価に識別可能なインクを提供する方法を提案することを目的とする。
【課題を解決するための手段】
【００１３】
上記課題は、本発明の（１）「インク中の特定成分の量を調整することにより特定の個人ユーザーに固有の情報を持たせたことを特徴とするインクジェット用インク」、
（２）「画像あるいはインク自体を分析することにより特定の個人ユーザーに固有のインクを使用したか否かが判定可能な前記第（１）項に記載のインク」、
（３）「インク中の１個〜複数個の特定の物質の成分比から特定の情報を割り出せるようにしたことを特徴とする前記第（１）項または第（２）項に記載のインク」、
（４）「ユーザーが暗証番号を指定し、それに対応した特定成分の量および量比としたことを特徴とするユーザーからのオーダーメードで作成した前記第（１）項乃至第（３）項のいずれかに記載のインク」、
（５）「インク中の固有の情報を担わした成分が着色剤であることを特徴とする前記第（１）項乃至第（４）項のいずれかに記載のインク」、
（６）「インク中の固有の情報を担わした成分が非着色剤であることを特徴とする前記第（１）項乃至第（４）項のいずれかに記載のインク」により達成される。
また、上記課題は、本発明の（７）「固有の情報を付与するためのそれぞれ種類の異なる特定成分を含有したそれぞれのインクを製造・貯蔵してあるそれぞれの容器から、ユーザーからのオーダーがあった場合に、ユーザーからの暗証番号に対応した量比でカートリッジに小分けして充填することを特徴とするインク中の特定成分の量を調整することにより特定の個人ユーザーに固有の情報を持たせたインクジェット用インクの製造方法」により達成される。
また、上記課題は、本発明の（８）「前記第（１）項乃至第（６）項のいずれかに記載のインクジェット用インクを充填したカートリッジ」により達成される。
換言すれば本発明は、「予め、インクジェット記録用インクの使用予定者（ユーザー）を特定して、当該使用予定者のための特定インクジェット記録用インクを製造する際に、親水基を有する着色料、該親水基の対カチオンを生じ得るカチオン物質、重金属又は多価金属の塩化物、水酸化物または酸化物、蛍光性物質、赤外領域に吸収を有する物質からなる群から選択されたインクジェット記録インク用の溶解性又は易分散性の識別成分の含有量を特定したインクジェット記録用インクを調整し、該インクの組成及び使用予定者を記録・保管し、該インクを用いて作成された印字物を解析して、該印字物が前記使用予定者の関与により作成されたものであるか否かを識別することを特徴とするインクジェット記録用インクの適正使用判別方法」を提供するものともいうことができる。
【発明の効果】
【００１４】
以下の詳細かつ具体的な説明から明らかなように、本発明により、特殊な材料を用意することなく固有の情報をもったインクができる。
また、本発明により、偽造かそうでないかの判定が可能となり、特定の個人の割り出しが可能となる。
また、本発明により、ユーザーのみが暗証番号を知っているため悪意のあるものが同じ組成比のインクを注文作成できない。
また、本発明により、多量に作成した複数のインクから小分けして混合することにより固有のインクを安価に製造可能である。
また、本発明により、もともとインクに必要な機能（着色）を有する材料がそのまま使用できる。特に対カチオン変化だけで区別する場合は、混合比による色の違いも少ない。
また、本発明により、非着色剤であれば混合比による色の違いも少ない。
【発明を実施するための最良の形態】
【００１５】
以下に本発明を詳細に説明する。
その方法は以下のようなものである。
まず、特定のユーザーからユーザー個人固有の情報をもったインクの注文を受けたとする。
その際に、ユーザーから暗証番号を提示してもらう。
その暗証番号とインク中の複数の特定成分（例えばＡ、Ｂ、Ｃ、Ｄ・・・これらは画像から定量分析が可能なものとする）の組成比との間に１対１の対応がつくように予めルールを決めておく。
（この場合、情報のしぼりこみを目的とするのであれば必ずしも１対１の対応でなくてもよい）。
なお、ここでの、特定成分とは、インク中の成分で、化学的、物理的な定量あるいはインク中の存在の有無の確認が可能なものをいう。例えば、染料、顔料などの着色剤、およびその対イオン、各種重金属、多価金属の化合物、塩化物、水酸化物、酸化物、あるいは金属そのもの、あるいは蛍光色素などいずれでもよい。できれば、インク本来の色調、信頼性に大きな影響の与えないものがよい。また、印刷媒体中にもともと多量に含まれるものは避けたほうが好ましい。
【００１６】
また、インクとしてはＡ、Ｂ，Ｃ，Ｄそれぞれ単独に所定量を含むインクを予め大量にそれぞれのインクタンクに貯蔵しておく。
ユーザーから注文を受けたときにカートリッジのインク袋へのインク充填時にそれぞれのタンクから暗証番号と対応する比率でそれぞれのインクを小分け充填していく。
Ａ，Ｂ，Ｃ，Ｄが１０段階で濃度測定可能であればその種類は１００００になる。一方、より精密に分析可能であればその種類は増える。濃度５段階の分析が可能であれば６種類にすれば１５０００種類になる。
【００１７】
インクの製造時に個人個人のユーザーごとにインクの種類、成分量を変えたインクを最初から製造していたのでは必然的にインクコストが高価なものになってしまうが前記した小分け混合方法によりそれは避けられる。
【００１８】
これらの材料としては本来のインクの特性に影響をなるべく与えない物質が好ましい。
もともとインク中に必須成分である、顔料、染料などの着色剤でもかまわない。
例えばＡ，Ｂ・・・として色相が大きくはかわらないマゼンタ（あるいはイエロー、あるいはシアンあるいは黒）染料を含むインクを複数種それぞれ別個に用意しておいてもよい。この場合の分析は、画像から、インクを抽出し、薄層クロマトグラフィーで定量することができる。これは一例であり、液体クロマトグラフなど如何なる方法でもよい。
【００１９】
また、水性インクの顔料、染料の場合は必ずカルボキシル基、スルフォン基などの親水基を有する（顔料の場合は分散樹脂あるいはエマルジョン樹脂として）が顔料、染料の主骨格は同じで、その対カチオンの種類だけを変えても良い。例えばカチオンがＬｉ、Ｎａ，Ｋ，有機アンモニウムなどと対カチオンの異なる顔料、染料インクを別個に用意しておき、ユーザーの暗証番号に対応した処方量で小分け混合してもよい。
この場合、主骨格が同じなので混合比で色調が変わる程度は小さくなる。
この場合の分析はＩＣＰ，蛍光Ｘ線などで行う。他の分析方法でもよい。
【００２０】
また、Ａ、Ｂ・・・として各種重金属、多価金属の化合物、塩化物、水酸化物、酸化物、あるいは金属そのものを沈殿の発生しない範囲で添加したものでもよい。
この場合の分析は画像の蛍光Ｘ線分析、ＩＣＰ分析をすることにより特定可能である。
【００２１】
一方、可視域に吸収の少ない物質で紫外線照射で発光する蛍光性物質、あるいは赤外域に吸収を有する物質でもかまわない。
また、無機、有機のイオンでもよい。イオンクロマトによる分析が可能である。
これらの分析が必要となる場合は、偽文書によるトラブル発生時に判定する必要が生じた場合であり、きわめて特別な場合である。従って分析自体は専門の組織で行えばよく、特定個人が行う必要はない。重要なのは予めインクに固有の情報が備わっているという事実である。もともと多量に生産された個人情報のないインクではどんなに強力な分析装置でも特定は原理的に不可能である。
【００２２】
インクの粘度、表面張力などの物性はインクの噴射特性に影響を与える。従ってＡ，Ｂ・・・の混合予定のインクは少なくとも粘度、表面張力はなるべく近い値のものが望ましい。
また、トレーサーとしては同じ種類のものに限るものでなく、染料２種類と、その他の材料、例えば、浸透剤種２種類の組み合わせでもよい。
【００２３】
インクにトレーサビィリティーを持たせるために特殊な材料を入れる公知例は多くあるが、それだけでは多くのユーザーに固有のインクを安価で提供するわけにはいかない。本発明のように、予めユーザーに暗証番号を指定してもらい、その暗証番号に従って、予め決められたルールにより、特定成分の組成を変化させてインクを小分け混合充填することによりそれぞれのユーザーに固有のインクを短時間で安価で供給することができる。
【００２４】
インク中の本来の成分としては従来インクジェット用インクとして知られたものが利用可能である。
着色剤としては染料、顔料が主に用いられる。
その他に必須成分としてグリセリン、ジエチレングリコール、ブタンジールなどの高沸点有機溶媒が湿潤剤として用いられる。その他、浸透剤、界面活性剤、ｐＨ調整剤、防腐防カビ剤、水溶性樹脂、エマルジョンが必要により混合される。
一般に、インクジェットはＹＭＣ及び黒が使用されるが、固有の情報を持たせるのはそのうち１色でも複数色でもよい。
【００２５】
トレーサーとして使用される染料としては特に制限はなく、色調、物性に類似しているが、薄層クロマトで分離可能なものが好ましい。種類としては例えば、酸性染料、直接性染料、塩基性染料、反応性染料、などが挙げられる。トレーサーとして使用される顔料としてはインクジェットで使用するいずれの顔料でもよい。
シアンがフタロシアニンの場合は中心金属の種類をかえたインクを用意してその組成比で分析してもよい。
【００２６】
次にトレーサーとして使用される非着色剤としては可視域に吸収が少ない物質、例えば各種浸透剤、界面活性剤、あるいは水溶性の各種有機化合物が挙げられる。これらは各種クロマト、あるいは核磁気共鳴スペクトルなどで定量分析が可能である必要がある。
【００２７】
また、蛍光性の物質としてはさらに、従来公知の蛍光染料を使用することができ、例えば６，７−ジオキシクマリン配糖体やβ−メチルウンベリフェロン酢酸ソーダなどのクマリン誘導体、オキサゾール誘導体、チアゾール誘導体、ピレンスルホン酸などのピレン誘導体、イミダゾール誘導体、ジフェニルイミダゾロンジスルホン酸などのイミダゾロン誘導体、１，３−ジアリルピラゾリンなどのピラゾリン誘導体、ジベンゾイルベンジジン−ｏ，ｏ−ジカルボン酸などのベンジジン誘導体、ジベンゾイルアミノスチルベンジスルホン酸などのジアミノスチルベンジスルホン酸誘導体、などを用いることができる。これらは各種分析で定量が可能であれば同じように定量誤差の範囲内で濃度の段階がつけられるが、他のトレーサーとともに、単に有無の判定にしてもよい。
【００２８】
トレーサーとしての重金属化合物はＩＪは主に紙に印写する場合、あとあとの分析のことを考えれば紙に大量には含まれない物質が好ましい。Ｃａ，Ａｌ，は避けた方がよい。ただし、ベースである紙との差を見ればこれらの物質でも分析は可能と思われる。分析方法としては、蛍光Ｘ線（だいたい１００ｐｐｍくらいの分析）、ＩＣＰ−ＭＳ（０．００１ｐｐｍの分析可能）あるいは場合によっては特別な分析機関に放射光を利用するような超微量分析を依頼してもよい。
いずれにせよ、予めユーザーの暗証番号に対応した固有の組成のインクになっていることが重要で、そうでない普通のインクではどんなに高度の分析装置であっても判定は不可能である。
【００２９】
なおここで個人ユーザーの意味は少なくとも１０個あるいは１００個さらには１０００個以上のユーザーを対象にした場合の個々のユーザーという意味である。
すなわち、従来、たまたま組成の異なるインクを製造し、それぞれを複数のユーザーに使用してもらうことはあったかもしれないが、１０個あるいは１０００個あるいはそれ以上の多数の個々のユーザーにそれぞれ固有の情報をインク自体にもたせ、それを識別可能とすること自体を目的のひとつとしたインクおよびその製造、識別方法は従来知られていない。
【実施例】
【００３０】
（実施例１）
ジエチレングリコール２０部、マゼンタ染料４部、残部水のインクを作成した。染料は（Ｉ）Ｃ．Ｉ．ダイレクトレッド227、（II）Ｃ．Ｉ．アシッドレッド254、（III）三井化学ＪＤ194、（IV）その他のマゼンタ染料Ｎｏ.４を使用した。ｐＨは水酸化ナトリウムで約８〜９．５にした。それぞれの組成比を１対２対５対１０の比率になるようにインクを混合調合した。また、１０対５対２対１の比率でも混合した。これを一旦、普通紙に印字後、インクを水に溶出して、薄層シートにスポットし、ピリジン／酢酸ｎブチル／水＝１３．５／１１．０／７．５の比率の液で展開した。それぞれの染料は分離し、先に記述した混合インク２種類の違いは目視でも明らかであった。
これをＴＬＣスキャナーにて定量すればその違いはさらに明瞭に区別される。簡単ではあるがこの実験により、本発明の固有のインク作成、それの分析が可能であることが示された。
【図面の簡単な説明】
【００３１】
【図１】本発明をフローチャートに図示した説明図である。
【図１】
2007070525.tif 000003